(57)【要約】【課題】チャート紙が紙切れであることやチャート紙が移動していないことをユーザーが早期に認識することを可能とした記録計を提供する。【解決手段】ステップＳ１において、ＣＰＵ６２は、光センサ５４から所定の信号を受信したか否かを判定する。すなわち、ＣＰＵ６２は、チャート紙９２が紙切れであるか否かを判定する。この処理で、ＣＰＵ６２は、光センサ５４から所定の信号を受信したと判定した場合にはステップＳ２に処理を移し、光センサ５４から所定の信号を受信したと判定しなかった場合には、ステップＳ３に処理を移す。【選択図】図５
2008185566.tif 000002
【特許請求の範囲】
【請求項１】
チャート紙に記録を行う記録計において、
前記チャート紙が紙切れであるか否かを検知する紙切れ検知手段と、
前記チャート紙が紙切れであることをユーザーに報知する報知手段と、
前記紙切れ検知手段によって前記チャート紙の紙切れが検知されたことを条件に、前記報知手段によってユーザーに前記チャート紙が紙切れであることを報知するように制御する紙切れ報知制御手段と、を備える記録計。
【請求項２】
前記記録計は、両端部に複数の開口部が形成されたチャート紙を移動させるスプロケットドラムであって、それぞれが各開口部と係合可能な複数の歯を有するスプロケットドラムを備え、前記スプロケットドラムによって前記チャート紙を移動させながら前記チャート紙に記録を行い、
前記紙切れ検知手段は、前記チャート紙の移動にともなって前記チャート紙の一端側に形成された前記開口部が通過する場所に向けて光を発光する発光手段及び前記発光手段によって発光された光を受光する受光手段を有する光検知手段と、前記発光手段によって発光された光を前記受光手段が所定の時間内連続して受光した連続受光状態か否か、または、前記発光手段によって発光された光を前記受光手段が所定の時間受光しなかった連続非受光状態か否かを判定する判定手段と、を備え、前記判定手段が前記連続受光状態または前記連続非受光状態と判定した場合に、前記チャート紙が紙切れであると判定する、請求項１に記載の記録計。
【請求項３】
前記報知手段は、前記紙切れ検知手段が紙切れであることを検知したことを光の点灯によってユーザーに報知するランプを有する請求項１又は２記載の記録計。
【請求項４】
前記報知手段は、音声出力によってユーザーに報知する音声出力手段を有する請求項１又は２記載の記録計。
【請求項５】
前記チャート紙は、前記チャート紙に１ｃｍ〜２ｃｍの大きさで時間を示す数字が記入された時間記入部を有する請求項１から４いずれか記載の記録計。
【発明の詳細な説明】
【技術分野】
【０００１】
本発明は、チャート紙の紙切れ、または、チャート紙が正常に移動していないことを報知する記録計に関する。
【背景技術】
【０００２】
火力発電所、原子力発電所等では、常時、圧力、温度、出力等の監視が行われており、各種監視項目について得られた測定データは、記録計によってチャート紙に連続的に記録されている（特許文献１参照）。
【０００３】
具体的には、図６に示すように、記録計２１０は、スプロケットドラム２２２が回転することによって、チャート紙２９２が移動するとともに、ペン２３２の先端がチャート紙２９２に接して、測定データが記録されていく。監視業務を行う運転員（ユーザー）は、記録計全てを定期的に、例えば、１回／時間の割合で記録計２１０を目視することにより、異常な運転状況であるか否かを監視する。これと同時に、運転員は、チャート紙２９２が紙切れしていないかどうかを確認する。また、チャート紙２９２の一端部の近傍には、時間を示す数字２９６が記入されており、運転員は、この数字２９６を実際の時間と照合してチャート紙２９２が正常に移動しているか否か、すなわち、記録計２１０が正常に作動しているか否か、確認する。
【特許文献１】特開平９−第９４７４３号公報
【発明の開示】
【発明が解決しようとする課題】
【０００４】
しかし、火力発電所、原子力発電所等での監視項目は非常に多く、記録計２１０は少なくとも百個以上あるため、チャート紙２９２の紙切れやチャート紙２９２が正常に移動していないことを見過ごす場合がある。チャート紙２９２の紙切れやチャート紙２９２が正常に移動していない状態をそのまま放置しておくと、そのときの運転状況を後日確認しようとしても、測定データが記録されていないことになる。
【０００５】
本発明は、上述の課題に鑑みてなされたものであり、チャート紙が紙切れであることやチャート紙が正常に移動しないことをユーザーが早期に認識することを可能とした記録計を提供することを目的とする。
【課題を解決するための手段】
【０００６】
（１）  チャート紙に記録を行う記録計において、
前記チャート紙が紙切れであるか否かを検知する紙切れ検知手段と、
前記チャート紙が紙切れであることをユーザーに報知する報知手段と、
前記紙切れ検知手段によって前記チャート紙の紙切れが検知されたことを条件に、前記報知手段によってユーザーに前記チャート紙が紙切れであることを報知するように制御する紙切れ報知制御手段と、を備える記録計。
【０００７】
（１）の発明によれば、検知手段が、チャート紙が紙切れであることを検知したことを条件に、制御手段は報知手段によってチャート紙が紙切れであることをユーザーに報知させる。したがって、ユーザーは、早期に、チャート紙が紙切れとなったことを認識することができる。
【０００８】
（２）  前記記録計は、両端部に複数の開口部が形成されたチャート紙を移動させるスプロケットドラムであって、それぞれが各開口部と係合可能な複数の歯を有するスプロケットドラムを備え、前記スプロケットドラムによって前記チャート紙を移動させながら前記チャート紙に記録を行い、
前記紙切れ検知手段は、前記チャート紙の移動にともなって前記チャート紙の一端側に形成された前記開口部が通過する場所に向けて光を発光する発光手段及び前記発光手段によって発光された光を受光する受光手段を有する光検知手段と、前記発光手段によって発光された光を前記受光手段が所定の時間内連続して受光した連続受光状態か否か、または、前記発光手段によって発光された光を前記受光手段が所定の時間受光しなかった連続非受光状態か否かを判定する判定手段と、を備え、前記判定手段が前記連続受光状態または前記連続非受光状態と判定した場合に、前記チャート紙が紙切れであると判定する、（１）に記載の記録計。
【０００９】
「連続受光状態」すなわち「発光手段によって発光された光を受光手段が所定の時間内連続して受光した」こととは、発光手段から発光された光が同じ開口部を通過した状態を所定の時間内継続していたことを意味する。換言すると、チャート紙が所定の時間内正常に移動しなかったことを意味する。
【００１０】
また、「連続非受光状態」すなわち「発光手段によって発光された光を受光手段が所定の時間受光しなかった」こととは、発光手段から発光された光が開口部と開口部との間のチャート紙の部分によって遮断された状態を所定の時間内継続していたことを意味する。換言すると、チャート紙が所定の時間内正常に移動しなかったことを意味する。
【００１１】
（２）の発明によれば、判定手段が連続受光状態または連続非受光状態と判定したことを条件に、紙切れ検知手段は報知手段によってチャート紙が正常に移動していないことを報知させる。したがって、ユーザーは、早期に、チャート紙が正常に移動していないことを認識することができる。
【００１２】
（３）  前記報知手段は、前記紙切れ検知手段が紙切れであることを検知したことを光の点灯によってユーザーに報知するランプを有する（１）又は（２）記載の記録計。
【００１３】
（３）の発明によれば、光の点灯によってユーザーに報知するランプを有するので、例えば、数多くの記録計が設置されている場合でも、ユーザーは問題が発生している記録計を即座に認識することができる。
【００１４】
（４）  前記報知手段は、音声出力によってユーザーに報知する音声出力手段を有する（１）又は（２）記載の記録計。
【００１５】
（４）の発明によれば、音声出力によってユーザーに報知する音声出力手段を有するので、ユーザーはある記録計に問題が発生していることを即座に認識することができる。
【００１６】
（５）  前記チャート紙は、前記チャート紙に１ｃｍ〜２ｃｍの大きさで時間を示す数字が記入された時間記入部を有する（１）から（４）いずれか記載の記録計。
【００１７】
従来、ユーザーは、記録計監視時、チャート紙の幅方向の一方の端部近傍に記載された数字を実際の時間と照合して、チャート紙が正常に移動しているか否かを確認していた。しかし、記録計は多数設置されており、さらには、チャート紙の幅方向の一方の端部近傍に記載された数字はさほど大きく記載はされていなかったため、チャート紙が正常に移動していない場合でも見過ごされる場合があった。
【００１８】
（５）の発明によれば、チャート紙は、１ｃｍ〜２ｃｍの大きさで時間を示す数字が記入された時間記入部をチャート紙に有するので、例えば、記録計が多数設置されている場合でも、ユーザーは、チャート紙が正常に移動していない記録計を見落とすことがなく、即座に認識することができる。なお、時間記入部は、チャート紙の幅方向の一方の端部近傍であってよく、またチャート紙の中央であってもよいし、これらの組み合わせであってもよい。
【発明の効果】
【００１９】
本発明によれば、検知手段が、チャート紙が紙切れであることを検知したことを条件に、制御手段は報知手段によってチャート紙が紙切れであることをユーザーに報知させるので、ユーザーは、早期に、チャート紙が紙切れとなったことを認識することができる。
【発明を実施するための最良の形態】
【００２０】
以下、本発明の実施形態について図面を用いて説明する。
【００２１】
図１は、本発明の一実施形態の記録計における概観を示す概略図である。図２は、本発明の一実施形態の記録計を制御操作盤から手前側に引き出したときの概観を示す概略図である。図３は、本発明の一実施形態の記録計の側面概略図である。図４は、本発明の一実施形態の記録計において構成される制御回路を示すブロック図である。図５は、本発明の一実施形態の記録計において実行される制御処理を示す図である。
【００２２】
［記録計の構成］
以下に、本実施形態における記録計１０の構成を図１から図３を用いて説明する。
【００２３】
図１から図３に示すように、記録計１０は、制御操作盤１００に設けられている。この記録計１０は、両端部に複数の開口部９４が形成されたチャート紙９２に記録を行う。記録計１０は、筐体１２と、この筐体１２内に設けられる、チャート紙９２を移動させるスプロケットドラム２２と、ペン３２と、チャート紙押え３４と、未記録のチャート紙９２が収納されている未記録チャート紙収納部４２と、記録済みチャート紙格納部４４と、光センサ５４，５８と、スピーカー７２と、ランプ７６と、を備える。
【００２４】
スプロケットドラム２２は、それぞれが各開口部９４と係合可能な複数の歯２４を有する。歯２４それぞれが各開口部９４と係合可能となっているため、スプロケットドラム２２が筐体１２の奥側から手前側に回転することによって、チャート紙９２は、未記録のチャート紙９２が収納されている未記録チャート紙収納部４２（図３参照、筐体１２の奥側）から筐体１２の手前側に移動され、さらに、記録済みチャート紙格納部４４に格納される。
【００２５】
ペン３２は、チャート紙９２に測定データを記録する。すなわち、スプロケットドラム２２が記録計１０の奥側から手前側に回転するとチャート紙９２が移動することによって、ペン３２の先端がチャート紙９２に接して、測定データがチャート紙９２に記録されていく。記録されたチャート紙９２は、記録済みチャート紙格納部４４に順次格納されていく。
【００２６】
なお、本実施形態においては、チャート紙９２に観測データを記録していく方式として、ペン３２を用いたペン方式を採用しているが、他の記録方式、例えば、打点方式を採用してもよい。
【００２７】
チャート紙押え３４は、スプロケットドラム２２の近傍に設けられている。具体的には、チャート紙押え３４は、筐体１２の手前側であって、スプロケットドラム２２の下側にスプロケットドラム２２に接するように設けられている。チャート紙９２はチャート紙押え３４とスプロケットドラム２２とに挟持されて、記録済みチャート紙格納部４４に順次格納されていく。
【００２８】
紙切れ検知手段の一例である光センサ５４は、未記録チャート紙収納部４２に設けられており、一対の光素子であり、発光素子５２及び受光素子５３を有する。光センサ５４は、チャート紙９２が紙切れであるか否かを検知する。
【００２９】
なお、本実施形態において、紙切れ検知手段の一例として光センサを採用しているが、チャート紙９２の紙切れを検知できるものであればどのようなセンサであってもよく、例えば、リミットスイッチのような他の種類のセンサを採用してもよい。
【００３０】
また、光センサ５４は未記録チャート紙収納部４２に設けられているが、チャート紙９２の紙切れを検知できるものであれば設置場所は特に限定されず、例えば、スプロケットドラム２２の近傍に設けられていてもよい。また、光センサ５８を紙切れ検知手段として用いてもよい。
【００３１】
光検知手段の一例である光センサ５８は、チャート紙９２を未記録チャート紙収納部４２からスプロケットドラム２２に誘導する平滑な平面が形成されたチャート紙誘導板３６に設けられている。この光センサ５８は、一対の光素子であり、発光素子５６及び受光素子５７を有する。発光素子５６は、チャート紙９２の移動にともなってチャート紙９２の一端側の開口部９４が通過する場所に向けて光を発光する発光手段の一例であり、受光素子５７は、発光素子５６によって発光された光を受光する受光手段の一例である。
【００３２】
なお、光センサ５８はチャート紙誘導板３６に設けられているが、チャート紙の一端側の開口部が通過する場所に光を発光する発光素子を設けることができ、発光素子によって発光された光を受光する受光素子を設けることができるような場所であれば、光センサ５８の設置場所は特に限定されない。例えば、光センサ５８によってチャート紙の端部が検出されてから、そのチャート紙の端部がスプロケットドラム２２に到達するまでの時間が、報知手段によって紙切れ状態を知った作業者がそのチャート紙を取り替えるに必要な時間より長くなるように、光センサ５８を設置することが好ましい。
【００３３】
また、光センサ５８は、判定手段が前記発光手段によって発光された光を前記受光手段が所定の時間内連続して受光した連続受光状態か否か、または、前記発光手段によって発光された光を前記受光手段が所定の時間受光しなかった連続非受光状態か否かを判定することができる位置に設けることが好ましい。これにより、光センサ５８は、チャート紙が紙切れであるか否かを検知することができるからである。
【００３４】
スピーカー７２は、報知手段（音声出力手段）の一例であり、チャート紙９２の紙切れが発生した場合、または、チャート紙９２が正常に移動していない場合に、音声出力によってユーザーにチャート紙９２が紙切れであること又はチャート紙９２が正常に移動していないことを報知する。
【００３５】
ランプ７６は、報知手段の一例であり、チャート紙９２の紙切れが発生した場合、または、チャート紙９２が正常に移動していない場合に、光の点灯（点滅を含む）によってユーザーにチャート紙９２が紙切れであること又はチャート紙９２が正常に移動していないことを報知する。
【００３６】
なお、報知手段の一例として、スピーカー７２及びランプ７６を例示したが、チャート紙が紙切れであることをユーザーに報知し、または、チャート紙が正常に移動していないことをユーザーに報知することができるものであれば、報知手段は、特に限定されず、例えば、画像表示手段であるＣＲＴ、液晶、プラズマディスプレー等を例示することができる。
【００３７】
ここで、チャート紙９２は、チャート紙９２の幅方向の一方の端部近傍に、１ｃｍ〜２ｃｍの大きさで時間を示す数字が記入された複数の時間記入部９６を有する。時間記入部９６の大きさが１ｃｍ未満の場合は数字が小さいために、ユーザーはチャート紙９２が正常に移動していないことを見過ごしてしまう可能性がある。特に、チャート紙押え３４と時間記入部９６とが重なった場合は、記録計１０が正常に作動していない場合でもユーザーに見過ごされてしまう可能性が高い。時間記入部９６の大きさが、２ｃｍを超える場合は、時間を示す数字がチャート紙に予め記載された複数の時間軸の線を跨ぐ可能性が高く、その場合は監視業務に支障を来たす。
【００３８】
［遊技機の電気的構成］
以下に、本実施形態における記録計１０の制御回路について図４を用いて説明する。
【００３９】
図４に示すように、制御回路５０は、上述した光センサ５４、光センサ５８、さらには、ＣＰＵ６２、ＲＯＭ６４、ＲＡＭ６６、音源ＩＣ６８、ＡＭＰ７０、スピーカー７２、ドライブ回路７４、ランプ７６を備えている。
【００４０】
ＣＰＵ６２には、ＲＯＭ６４、ＲＡＭ６６等が接続されており、ＲＯＭ６４に記憶されるプログラムにしたがって、各種の処理を実行する機能を有する。このように、このＣＰＵ６２は、例えば、紙切れ報知制御手段、判定手段として機能する等、後述する各種の手段として機能することとなる。
【００４１】
ＲＯＭ６４には、ＣＰＵ６２により記録計１０を制御するためのプログラムが記憶されている。
【００４２】
ＲＡＭ６６は、ＣＰＵ６２の一時記憶領域として種々のフラグ、変数等を記憶する機能を有する。具体的には、ＲＡＭ６６は、後述する制御フラグを所定の領域に記録することが可能である。
【００４３】
光センサ５４、及び、光センサ５８は、ＣＰＵ６２に接続されている。
【００４４】
光センサ５４は、上述したように、チャート紙９２が紙切れであるか否かを検知する。すなわち、未記録チャート紙収納部４２に収納されているチャート紙９２の有無を検知する。
【００４５】
具体的には、光センサ５４は、未記録チャート紙収納部４２（図３参照）に設けられている発光素子５２及び受光素子５３を有しており、この発光素子５２は、チャート紙９２の一方の平面に向けて光を発光する発光手段の一例であり、受光素子５３は、発光素子５２によって発光された光を受光する受光手段の一例である。受光素子５３は、発光素子によって発光された光を受光した場合は、所定の検知信号をＣＰＵ６２に供給する。
【００４６】
光センサ５８は、上述したように、発光素子５６及び受光素子５７を有している。発光素子５６は、チャート紙９２の移動にともなってチャート紙９２の一端側の開口部９４が通過する場所に向けて光を発光し、受光素子５７は、発光素子５６によって発光された光を受光する。受光素子５７は、発光素子によって発光された光を受光した場合は、所定の検知信号をＣＰＵ６２に供給する。
【００４７】
ここで、ＣＰＵ６２は、発光素子５６によって発光された光を受光素子５７が所定の時間内連続して受光したか否か、または、発光素子５６によって発光された光を受光素子５７が所定の時間受光しなかったか否かを判定する判定手段としての機能を有する。すなわち、ＣＰＵ６２は、受光素子５７からの所定の検知信号を受信した後、所定の時間内連続して所定の検知信号を受信したか否かを判定する判定手段として機能する。また、ＣＰＵ６２は、受光素子５７からの所定の検知信号を受信した後、所定の時間内に受光素子５７からの所定の検知信号を再度受信しなかったか否かを判定する判定手段として機能する。
【００４８】
なお、「発光素子５６によって発光された光を受光素子５７が所定の時間内連続して受光した」こと、及び、「発光素子５６によって発光された光を受光素子５７が所定の時間受光しなかった」こととは、チャート紙９２が所定の時間内正常に移動しなかったことを意味する。
【００４９】
また「所定の時間」は、適宜設定される時間であるが、誤作動を起さない範囲で設定されることが好ましい。
【００５０】
音源ＩＣ６８は、ＣＰＵ６２の他に、ＲＯＭ６４、及び、増幅器７０と接続されている。この音源ＩＣ６８は、スピーカー７２から発生させる音声の制御を行うものであり、ＣＰＵ６２によって直接制御される。すなわち、ＣＰＵ６２は、ＲＯＭ６４に記憶されたプログラムにしたがって、スピーカー７２の音声出力を制御する。
【００５１】
増幅器（以下、ＡＭＰと称する。）７０は、音声信号を増幅して、スピーカー７２に増幅した音声信号を供給する。スピーカー７２は、供給された音声信号に基づいて音声出力を行う。
【００５２】
ドライブ回路７４はランプ制御信号をランプ７６に供給する。このドライブ回路７４は、ＣＰＵ６２によって直接制御される。つまり、ＣＰＵ６２は、ＲＯＭ６４に記憶されたプログラムにしたがって、ランプ７６の制御を行うものである。
【００５３】
［記録計の動作］
以下に、本実施形態における記録計１０で実行される報知処理について図５を用いて説明する。
【００５４】
［報知処理］
図５に示すように、ステップＳ１において、ＣＰＵ６２は、光センサ５４から所定の信号を受信したか否かを判定する。すなわち、ＣＰＵ６２は、チャート紙９２が紙切れであるか否かを判定する。この処理で、ＣＰＵ６２は、光センサ５４から所定の信号を受信したと判定した場合にはステップＳ２に処理を移し、光センサ５４から所定の信号を受信したと判定しなかった場合には、ステップＳ３に処理を移す。
【００５５】
ステップＳ２において、ＣＰＵ６２は、制御フラグ“１”をＲＡＭ６６の所定領域にセットする。この処理が終了した場合には、ステップＳ４に処理を移す。
【００５６】
ステップＳ３において、ＣＰＵ６２は、制御フラグ“０”をＲＡＭ６６の所定領域にセットする。この処理が終了した場合には、ステップＳ４に処理を移す。
【００５７】
ステップＳ４において、ＣＰＵ６２は、光センサ５８から受信した所定の信号に基づいて、発光素子５６によって発光された光を受光素子５７が所定の時間内連続して受光したか否か、または、発光素子５６によって発光された光を受光素子５７が所定の時間受光しなかったか否かを判定する。この処理で、ＣＰＵ６２は、発光素子５６によって発光された光を受光素子５７が所定の時間内連続して受光した、または、発光素子５６によって発光された光を受光素子５７が所定の時間受光しなかったと判定した場合には、ステップＳ５に処理を終了し、発光素子５６によって発光された光を光センサ５８が所定の時間内連続して受光した、または、発光素子５６によって発光された光を光センサ５８が所定の時間受光しなかったと判定しなかった場合にはステップＳ６に処理を進める。
【００５８】
ステップＳ５において、ＣＰＵ６２は、制御フラグ“３”をＲＡＭ６６の所定領域にセットする。この処理が終了した場合には、ステップＳ７に処理を移す。
【００５９】
ステップＳ６において、ＣＰＵ６２は、制御フラグ“２”をＲＡＭ６６の所定領域にセットする。この処理が終了した場合には、ステップＳ７に処理を移す。
【００６０】
ステップＳ７において、ＣＰＵ６２は、音声出力制御処理を実行する。この処理において、ＣＰＵ６２は、ＲＡＭ６６の所定領域にセットされたフラグに基づいて、ＲＯＭ６４に記憶されている音声出力パターンを選択し、選択された音声出力パターンをＲＡＭ６６に記憶する。ＣＰＵ６２は、ＲＡＭ６６に記憶された音声出力パターンに基づいてスピーカー７２に音声出力をさせる。
【００６１】
具体的には、ＣＰＵ６２は、ＲＡＭ６６の所定領域にセットされた制御フラグが制御フラグ“１”及び制御フラグ“２”の場合は、チャート紙９２が紙切れであることを、制御フラグ“１”及び制御フラグ“３”の場合は、チャート紙９２が紙切れであることを及びチャート紙９２が正常に移動していないことを、制御フラグ“０”及び制御フラグ“３”の場合は、チャート紙９２が正常に移動していないことをそれぞれ示す音声をスピーカー７２に出力させ、制御フラグ“０”及び制御フラグ“２”の場合は、スピーカー７２に音声を出力させない。この処理が終了した場合には、ステップＳ８に処理を移す。
【００６２】
ステップＳ８において、ＣＰＵ６２は、ランプ点灯制御処理を実行する。この処理において、ＣＰＵ６２は、ＲＡＭ６６の所定領域にセットされた制御フラグに基づいて、ＲＯＭ６４に記憶されている点灯パターンを選択し、選択された点灯パターンをＲＡＭ６６に記憶する。ＣＰＵ６２は、ＲＡＭ６６に記憶された点灯パターンに基づいてランプ７６を点灯、点滅、消灯させる。すなわち、ＣＰＵ６２はＲＡＭ６６に記憶された点灯パターンに基づいてドライブ回路７４に所定の信号を供給し、ドライブ回路７４は受け取った所定の信号に基づいて、ランプ７６を点灯、点滅、消灯させる。
【００６３】
具体的には、ＣＰＵ６２は、ＲＡＭ６６の所定領域にセットされた制御フラグが制御フラグ“１”及び制御フラグ“２”の場合は、チャート紙９２が紙切れであることを、制御フラグ“１”及び制御フラグ“３”の場合は、チャート紙９２が紙切れであること及びチャート紙９２が正常に移動していないことを、制御フラグ“０”及びフラグ“３”の場合は、チャート紙９２が正常に移動していないことをそれぞれ示すようにランプ７６を点灯又は点滅させ、制御フラグ“０”及び制御フラグ“２”の場合は、ランプ７６に点灯させない。この処理が終了した場合には、ステップＳ１からの処理を繰り返す。
【００６４】
上記のように、紙切れ報知制御手段の一例であるＣＰＵ６２は、光センサ５４から所定の信号を受信したと判定した場合（ステップＳ１で「ＹＥＳ」の判定）、すなわち、紙切れ検知手段の一例である光センサ５４が、チャート紙９２が紙切れであるかことを検知したことを条件に、制御フラグ“１”をＲＡＭ６６の所定領域にセットし（ステップＳ２）、ＲＡＭ６６の所定領域にセットされた制御フラグ“１”に基づいて、スピーカー７２に音声を出力させ（ステップＳ７）、ランプ７６を点灯させる（ステップＳ８）。
【００６５】
また、判定手段の一例であるＣＰＵ６２は、発光素子５６によって発光された光を受光素子５７が所定の時間内連続して受光したこと（ステップＳ４で「ＹＥＳ」の判定）を条件に、または、発光素子５６によって発光された光を受光素子５７が所定の時間受光しなかったと判定した（ステップＳ４で「ＹＥＳ」の判定）ことを条件に、制御フラグ“３”をＲＡＭ６６の所定領域にセットし（ステップＳ５）、ＲＡＭ６６の所定領域にセットされた制御フラグ“３”に基づいて、スピーカー７２に音声を出力させ（ステップＳ７）、ランプ７６を点灯させる（ステップＳ８）。
【００６６】
すなわち、ステップＳ７の音声出力制御処理及びステップＳ８のランプ点灯制御処理を実行するＣＰＵ６２は、紙切れ報知制御手段の一例である。
【００６７】
以上のように、光センサ５４がチャート紙９２が紙切れであることを検知したことを条件に、ＣＰＵ６２はスピーカー７２及びランプ７６によってチャート紙９２が紙切れであることをユーザーに報知させるので、ユーザーは、早期に、チャート紙９２が紙切れとなったことを認識することができる。
【００６８】
また、ＣＰＵ６２は、発光素子５６によって発光された光を受光素子５７が所定の時間内連続して受光したと判定したことを条件に、または、発光素子５６によって発光された光を受光素子５７が所定の時間受光しなかったと判定したことを条件に、すなわち、チャート紙９２が所定の時間内正常に移動しなかったことを条件に、ＣＰＵ６２は、スピーカー７２及びランプ７６によってチャート紙が正常に移動していないことを報知させるので、ユーザーは、早期に、チャート紙９２が正常に移動していないことを認識することができる。
【図面の簡単な説明】
【００６９】
【図１】本発明の一実施形態の記録計における概観を示す概略図である。
【図２】本発明の一実施形態の記録計を制御操作盤から手前側に引き出したときの概観を示す概略図である。
【図３】本発明の一実施形態の記録計の側面における概略図である。
【図４】本発明の一実施形態の記録計において構成される制御回路を示すブロック図である。
【図５】本発明の一実施形態の記録計において実行される制御処理を示す。
【図６】従来の記録計における概観を示す概略図である。
【符号の説明】
【００７０】
１０    記録計
２２    スプロケットドラム
２４    歯
５２    発光素子
５３    受光素子
５４，５８    光センサ
５６    発光素子
５７    受光素子
６２    ＣＰＵ
７２    スピーカー
７６    ランプ
９２    チャート紙
【図１】
2008185566.tif 000003
【図２】
2008185566.tif 000004
【図３】
2008185566.tif 000005
【図４】
2008185566.tif 000006
【図５】
2008185566.tif 000007
【図６】
2008185566.tif 000008